(57)【要約】      （修正有）【課題】運動抵抗を簡単に調整できるマルチポジション運動調整装置を提供する。【解決手段】マルチポジション運動調整装置は、第１のプレート１１０、第２のプレート１２０及び弾性部材１１３を備える。第２のプレート１２０は第１のプレート１１０に枢着される。弾性部材１１３は第１のプレート１１０と第２のプレート１２０との間に配置される。第２のプレート１２０が第１のプレート１１０に対して枢転する場合、弾性部材１１３をねじるように連動して弾性回復力を提供する。弾性回復力を変えるように、第２のプレート１２０の第１のプレート１１０に対する初期位置を調整することができる。これにより、ユーザーは随時に弾性回復力の大きさを調整して所要の運動抵抗を達成することができる。【選択図】図２
0003225097.tif 000002
【実用新案登録請求の範囲】
【請求項１】
第１のプレートと、
前記第１のプレートに枢着される第２のプレートと、
前記第１のプレートと前記第２のプレートとの間に配置される弾性部材と、
を備え、
前記第２のプレートが前記第１のプレートに対して枢転する場合、前記弾性部材をねじるように連動して弾性回復力を提供し、
前記弾性回復力を変えるように、前記第２のプレートの前記第１のプレートに対する初期位置を調整することができるマルチポジション運動調整装置。
【請求項２】
スプリングスリーブ及びギヤスリーブを更に備え、
前記弾性部材の一端は前記第１のプレートに固設され、
前記弾性部材の他端は前記スプリングスリーブに固設され、
前記ギヤスリーブと前記スプリングスリーブとは分離可能に連結される請求項１に記載のマルチポジション運動調整装置。
【請求項３】
前記ギヤスリーブに設置されるスイッチを更に備える請求項２に記載のマルチポジション運動調整装置。
【請求項４】
圧縮スプリングを更に備え、
前記スイッチと前記圧縮スプリングとは連動され、
前記スイッチは、前記圧縮スプリングを圧縮するように前記圧縮スプリングと連動する場合、前記ギヤスリーブが駆動されて前記スプリングスリーブから脱離し、前記第２のプレートの前記第１のプレートに対する前記初期位置を調整することができ、
前記スイッチは、前記圧縮スプリングが解放されるように前記圧縮スプリングと連動する場合、前記圧縮スプリングが弾性回復力により前記スプリングスリーブと組み合わせるように前記ギヤスリーブを押圧し、前記第２のプレートの前記第１のプレートに対する前記初期位置を固定することができる請求項３に記載のマルチポジション運動調整装置。
【請求項５】
前記弾性部材はねじりバネである請求項１に記載のマルチポジション運動調整装置。
【請求項６】
第１のプレートと、
前記第１のプレートに枢着される第２のプレートと、
前記第１のプレートに配置される弾性部材と、
を備え、
前記第２のプレートが前記第１のプレートに対して枢転する場合、前記弾性部材は引っ張られ又は圧縮されるように連動されて、弾性回復力を提供し、
前記弾性回復力を変えるように、前記第２のプレートの前記第１のプレートに対する初期位置を調整することができるマルチポジション運動調整装置。
【請求項７】
リールシート及びベルト本体を更に備え、
前記リールシートが前記第１のプレートと前記第２のプレートとの間に設置され、
前記ベルト本体が前記第１のプレートに設置され、前記ベルト本体の一端は前記弾性部材に連結され、前記ベルト本体の他端は前記リールシートに連動され、
前記第２のプレートが前記第１のプレートに対して枢転する場合、前記リールシートを回動させ、且つ前記ベルト本体が前記弾性部材を引張り又は圧縮するように連動する請求項６に記載のマルチポジション運動調整装置。
【請求項８】
前記リールシートと前記第２のプレートとは分離可能に連結される請求項７に記載のマルチポジション運動調整装置。
【請求項９】
圧縮スプリングを更に備え、
前記リールシートと前記圧縮スプリングとは連動され、
前記リールシートは、前記圧縮スプリングを圧縮するように前記圧縮スプリングと連動する場合、前記リールシートが駆動されて前記第２のプレートから脱離し、前記第２のプレートの前記第１のプレートに対する前記初期位置を調整することができ、
前記リールシートは、前記圧縮スプリングが解放されるように前記圧縮スプリングと連動する場合、前記圧縮スプリングの弾性回復力により前記第２のプレートと組み合わせるように前記リールシートを押圧し、前記第２のプレートの前記第１のプレートに対する前記初期位置を固定することができる請求項８に記載のマルチポジション運動調整装置。
【請求項１０】
ロッドと、
前記ロッドが枢着されたベースと、
前記ベース内に配置される弾性部材と、
を備え、
前記ロッドが前記ベースに対して枢転する場合、前記弾性部材は引っ張られ又は圧縮されるように連動されて、弾性回復力を提供し、
前記弾性回復力を変えるように、前記ロッドの前記ベースに対する初期位置を調整することができるマルチポジション運動調整装置。
【請求項１１】
リールシート、ベルト本体、及び少なくとも１つのガイドホイールを更に備え、
前記リールシートが前記ロッドと前記ベースとの間に設置され、
前記ベルト本体が前記ベース内に設置され、前記ベルト本体の一端は前記弾性部材に連結され、前記ベルト本体の他端は前記ガイドホイールにより前記リールシートに連動され、
前記ロッドが前記ベースに対して枢転する場合、前記リールシートを回動させ、前記ガイドホイールにより前記ベルト本体の移動をガイドし、前記弾性部材は引っ張られ又は圧縮されるように駆動される請求項１０に記載のマルチポジション運動調整装置。
【請求項１２】
前記ロッドと前記ベースとの間に設置されるギヤスリーブを更に備え、
前記リールシートと前記ギヤスリーブとは分離可能に連結される請求項１１に記載のマルチポジション運動調整装置。
【請求項１３】
前記リールシートを連動するスイッチを更に備える請求項１２に記載のマルチポジション運動調整装置。
【請求項１４】
圧縮スプリングを更に備え、
前記リールシートと前記圧縮スプリングとは連動され、
前記スイッチは、前記圧縮スプリングを圧縮するように前記リールシートが前記圧縮スプリングと連動する場合、前記リールシートが駆動されて前記ギヤスリーブから脱離し、前記ロッドの前記ベースに対する前記初期位置を調整することができ、
前記スイッチは、前記圧縮スプリングを解放するように前記リールシートが前記圧縮スプリングと連動する場合、前記圧縮スプリングの弾性回復力により、前記ギヤスリーブと組み合わせるように前記リールシートを押圧し、前記ロッドの前記ベースに対する前記初期位置を固定することができる請求項１３に記載のマルチポジション運動調整装置。
【請求項１５】
回動軸、ガスケット及びブッシュを更に備え、
前記ロッドと前記ベースとはともに前記回動軸に枢着され、
前記ガスケット、前記ブッシュ、前記ギヤスリーブ、前記リールシート及び前記圧縮スプリングは前記回動軸に穿設される請求項１４に記載のマルチポジション運動調整装置。
【請求項１６】
前記ガイドホイールの数は２つ以上である請求項１１に記載のマルチポジション運動調整装置。
【請求項１７】
前記弾性部材は引張りばねである請求項１０に記載のマルチポジション運動調整装置。
【請求項１８】
クランク、容置装置、ベルト本体、及び少なくとも１つのガイドホイールを更に含み、
前記容置装置が前記ベースに設けられ、
前記クランクの一端が前記ロッドの一端に枢着され、前記クランクの他端が前記ベルト本体の一端に接続され、前記ベルト本体の他端が前記弾性部材に接続され、前記弾性部材が前記容置装置内に設けられ、前記ベルト本体が前記ガイドホイールにより前記クランクに連動され、
前記ロッドが前記ベースに対して枢転する場合、前記ロッドが前記クランクを連動し、前記クランクが、前記ガイドホイールにより前記ベルト本体の移動をガイドし、前記弾性部材が引っ張られ又は圧縮されるように連動される請求項１０に記載のマルチポジション運動調整装置。
【請求項１９】
スイッチ、スイッチベース及び圧縮スプリングを更に含み、
前記スイッチベースが前記ベースに設けられ、前記スイッチが前記ロッドによって連動されて前記スイッチベース内で変位し、
前記スイッチを前記圧縮スプリングが連動して、
前記ロッドが前記スイッチを前記スイッチベース内で一方向へ変位させるように推して進める場合、前記圧縮スプリングの弾性回復力により抵抗が提供され、前記スイッチが相対的に前記スイッチベース内に固定され、これにより前記ロッドの前記初期位置が固定され、
前記ロッドが前記スイッチを前記スイッチベース内で別の方向へ変位させるように引く場合、前記スイッチが引かれて脱離して自由に回動できるようにされ、これにより前記ロッドの前記初期位置が調整される請求項１０に記載のマルチポジション運動調整装置。
【考案の詳細な説明】
【技術分野】
【０００１】
本考案は運動調整装置に関する。特に、運動抵抗を簡単に調整できるマルチポジション運動調整装置に関する。
【背景技術】
【０００２】
フィットネスは人の体の健康に役立つため、現在では大衆に人気がある。当業者は様々な運動装置を開発して市場に参入した。
開発された運動装置の多くが往復運動ストロークを提供するため、腹部、腰臀部及び腕等の体の様々な部分の筋肉が鍛練され、筋肉のストレッチを促進することができる。
【０００３】
現在存在する、従来の運動装置は、その内部に回復構造、及び折り畳み可能又は取り外し可能な２つのハンドルを有する。
ハンドルはユーザーが握ることに用いることができ、ホイールが一方向に回動する場合、回復構造の回復力により、ユーザーの期待する回復動作を達成させる。
【考案の概要】
【考案が解決しようとする課題】
【０００４】
上記の回復構造を有する運動装置は、様々な部分の筋肉の運動を達成することができるが、その変化形態が限られるため、適用範囲がまだ制限される。
更に、従来の回復構造は複雑さが高過ぎる場合が多く、運動装置全体のコストを低減することができず、且つユーザーが使用しにくい。
【０００５】
したがって、現在の市場にはまだ、操作しやすく、構造が簡単で、コストが安く、且つ即時に調整して様々な運動抵抗を提供することができる運動装置が欠けている。
このため、運動装置の構造を効率よく合理化し、且つ使用の柔軟性を増加することは、業界の取り組みの目標になる。
【課題を解決するための手段】
【０００６】
本考案の第一の目的は、運動抵抗を簡単に調整することができるマルチポジション運動調整装置を提供することにある。弾性部材を設置することにより、異なる方向のねじり、引っ張り又は圧縮を発生させ、異なる弾性回復力を形成するようにする。
更に、本考案の第二の目的として、第１のプレート、第２のプレート又はロッド、ベースの初期位置を調整することにより、弾性部材の異なる弾性回復力によりユーザーに異なる運動抵抗を感じさせることができ、異なる運動効果を達成できるようにする。
【０００７】
（一実施形態）
一実施形態において、本考案は、第１のプレートと、第１のプレートに枢着される第２のプレートと、第１のプレートと第２のプレートとの間に配置される弾性部材と、を備えるマルチポジション運動調整装置を提供する。
第２のプレートは第１のプレートに対して枢転する場合、弾性部材をねじるように連動して弾性回復力を提供する。
弾性回復力を変えるように、第２のプレートの第１のプレートに対する初期位置を調整することができる。
【０００８】
前記マルチポジション運動調整装置において、スプリングスリーブ及びギヤスリーブを更に備える。
弾性部材の一端は第１のプレートに固設され、弾性部材の他端はスプリングスリーブに固設される。
ギヤスリーブとスプリングスリーブとは分離可能に連結される。
【０００９】
前記マルチポジション運動調整装置において、ギヤスリーブに設置されるスイッチを更に備える。
【００１０】
前記マルチポジション運動調整装置において、圧縮スプリングを更に備える。
スイッチと圧縮スプリングとは連動する。
スイッチは、圧縮スプリングを圧縮するように圧縮スプリングと連動する場合、ギヤスリーブは駆動されてスプリングスリーブから脱離し、この時、第２のプレートの第１のプレートに対する初期位置を調整することができる。
スイッチは、圧縮スプリングが解放されるように圧縮スプリングと連動する場合、その弾性回復力によりスプリングスリーブと組み合わせるようにギヤスリーブを押圧することができ、この時、第２のプレートの第１のプレートに対する初期位置を固定することができる。
【００１１】
前記マルチポジション運動調整装置において、弾性部材はねじりバネである。
【００１２】
（別の実施形態）
別の実施形態において、本考案は、
第１のプレートと、
第１のプレートに枢着される第２のプレートと、
第１のプレートに配置され、第２のプレートが第１のプレートに対して枢転する場合、引っ張られ又は圧縮されるように連動されて、弾性回復力を提供する弾性部材と、を備えるマルチポジション運動調整装置を提供する。
弾性回復力を変えるように、第２のプレートの第１のプレートに対する初期位置を調整することができる。
【００１３】
前記マルチポジション運動調整装置において、
第１のプレートと第２のプレートとの間に設置されるリールシートと、
第１のプレートに設置され、その一端が弾性部材に連結され、他端がリールシートに連動されるベルト本体と、を更に備える。
第２のプレートは第１のプレートに対して枢転する場合、リールシートを回動させ、且つベルト本体を連動して弾性部材が引っ張られ又は圧縮されるようにする。
【００１４】
前記マルチポジション運動調整装置において、リールシートと第２のプレートとは分離可能に連結される。
【００１５】
前記マルチポジション運動調整装置において、圧縮スプリングを更に備える。
リールシートと圧縮スプリングとは連動される。
リールシートは、圧縮スプリングを圧縮するように圧縮スプリングと連動する場合、リールシートが駆動されて第２のプレートから脱離し、この時、第２のプレートの第１のプレートに対する初期位置を調整することができる。
リールシートは、圧縮スプリングが解放されるように圧縮スプリングと連動する場合、圧縮スプリングの弾性回復力により第２のプレートと組み合わせるようにリールシートを押圧することができ、この時、第２のプレートの第１のプレートに対する初期位置を固定することができる。
【００１６】
（更に１つの実施形態）
更に１つの実施形態において、本考案は、
ベースに枢着されるロッドと、
ベースと、
ベース内に配置される弾性部材と、を備えるマルチポジション運動調整装置を提供する。
ロッドはベースに対して枢転する場合、弾性部材は引っ張られ又は圧縮されるように連動されて弾性回復力を提供する。
ロッドのベースに対する初期位置は調整することができて、これにより弾性回復力を変える。
【００１７】
前記マルチポジション運動調整装置において、ロッドとベースとの間に設置されるリールシートと、ベース内に設置され、一端が弾性部材に連結され、他端がガイドホイールによりリールシートに連動されるベルト本体と、少なくとも１つのガイドホイールと、を更に備える。
ロッドはベースに対して枢転する場合、リールシートを回動させ、ガイドホイールによりベルト本体の移動をガイドし、弾性部材は引っ張られ又は圧縮されるように駆動される。
【００１８】
前記マルチポジション運動調整装置において、ロッドとベースとの間に設置されるギヤスリーブを更に備える。
リールシートとギヤスリーブとは分離可能に連結される。
【００１９】
前記マルチポジション運動調整装置において、リールシートを連動するスイッチを更に備える。
【００２０】
前記マルチポジション運動調整装置において、圧縮スプリングを更に備える。
リールシートと圧縮スプリングとは連動される。
スイッチは、リールシートが圧縮スプリングを圧縮するように連動する場合、リールシートが駆動されてギヤスリーブから脱離し、この時、ロッドのベースに対する初期位置を調整することができる。
スイッチは、リールシートが圧縮スプリングを解放するように連動する場合、その弾性回復力によりギヤスリーブと組み合わせるようにリールシートを押圧することができ、この時、ロッドのベースに対する初期位置を固定することができる。
【００２１】
前記マルチポジション運動調整装置において、回動軸、ガスケット及びブッシュを更に備える。
ロッド及びベースはともに回動軸に枢着される。
ガスケット、ブッシュ、ギヤスリーブ、リールシート及び圧縮スプリングは回動軸に穿設される。
【００２２】
前記マルチポジション運動調整装置において、ガイドホイールの数は２つ又は２つ以上である。
【００２３】
前記マルチポジション運動調整装置において、弾性部材はストレッチスプリングである。
【００２４】
前記マルチポジション運動調整装置において、クランク、容置装置、ベルト本体及少なくとも１つのガイドホイールを更に含む。
容置装置がベースに設けられる。
クランクの一端がロッドの一端に枢着される。クランクの他端がベルト本体の一端に接続される。ベルト本体の他端が弾性部材に接続される。弾性部材が容置装置内に設けられる。ベルト本体がガイドホイールによりクランクに連動される。
ロッドがベースに対して枢転する場合、ロッドがクランクを連動し、クランクがガイドホイールによりベルト本体の移動をガイドし、弾性部材が引っ張られ又は圧縮されるように連動される。
【００２５】
前記マルチポジション運動調整装置において、スイッチ、スイッチベース及び圧縮スプリングを更に含む。
スイッチベースがベースに設けられ、且つスイッチがロッドによって連動されてスイッチベース内で変位する。
圧縮スプリングがスイッチを連動する。
ロッドがスイッチをスイッチベース内で一方向へ変位させるように推し進める場合、圧縮スプリングの弾性回復力により抵抗が提供され、スイッチが相対的にスイッチベース内に固定され、これによりロッドの初期位置が固定される。
ロッドがスイッチをスイッチベース内で別の方向へ変位させるように引く場合、スイッチが引かれて脱離して自由に回動できるようにされ、これによりロッドの初期位置が調整される。
【図面の簡単な説明】
【００２６】
【図１】本考案の第一実施例によるマルチポジション運動調整装置の外観を示す斜視図である。
【図２】本考案の第一実施例によるマルチポジション運動調整装置の内部アセンブリを示す模式図である。
【図３】本考案の第一実施例によるマルチポジション運動調整装置において、ギヤスリーブとスプリングスリーブとが脱離して第２のプレートの第１のプレートに対する初期位置を調整する様子を示す模式図である。
【図４】本考案の第二実施例によるマルチポジション運動調整装置の外観を示す斜視図である。
【図５】本考案の第二実施例によるマルチポジション運動調整装置の内部アセンブリを示す模式図である。
【図６】本考案の第二実施例によるマルチポジション運動調整装置において、リールシートと第２のプレートとが脱離して第２のプレートの第１のプレートに対する初期位置を調整する様子を示す模式図である。
【図７】本考案の第二実施例によるマルチポジション運動調整装置において、弾性部材が初期位置にある様子を示す模式図である。
【図８】本考案の第二実施例によるマルチポジション運動調整装置において、弾性部材が駆動されて両方向へ弾性回復力を提供する様子を示す模式図である。
【図９】本考案の第三実施例によるマルチポジション運動調整装置を透視して示す側面図である。
【図１０】本考案の第三実施例によるマルチポジション運動調整装置の内部アセンブリを示す模式図である。
【図１１Ａ】本考案の第三実施例によるマルチポジション運動調整装置において、スイッチを増設し、リールシートとギヤスリーブとの脱離を連動してロッドのベースに対する初期位置を調整する様子を模式的に示す断面図である。
【図１１Ｂ】本考案の第三実施例によるマルチポジション運動調整装置において、スイッチがギヤスリーブと組み合わされるようにリールシートを連動してロッドのベースに対する初期位置を固定する様子を模式的に示す断面図である。
【図１２Ａ】本考案の第三実施例によるマルチポジション運動調整装置において、ロッドがベースに対して初期位置に調整される様子を模式的に示す側面図である。この時、運動抵抗が小さい。
【図１２Ｂ】本考案の第三実施例によるマルチポジション運動調整装置において、ロッドがベースに対して別の初期位置に調整される様子を模式的に示す側面図である。この時、運動抵抗が大きい。
【図１３Ａ】本考案の第三実施例によるマルチポジション運動調整装置において、ロッドが初期位置にある様子を模式的に示す側面図である。
【図１３Ｂ】本考案の第三実施例によるマルチポジション運動調整装置において、ロッドが反時計回りに枢転し、弾性部材により一方向へ弾性回復力を提供する様子を模式的に示す側面図である。
【図１３Ｃ】本考案の第三実施例によるマルチポジション運動調整装置において、ロッドが時計回りに枢転し、弾性部材により別の方向への弾性回復力を提供する様子を模式的に示す側面図である。
【図１４】本考案の第四実施例によるマルチポジション運動調整装置透視をして示す側面図である。
【図１５Ａ】本考案の第四実施例によるマルチポジション運動調整装置において、ロッドが初期位置にある様子を模式的に示す側面図である。
【図１５Ｂ】本考案の第四実施例によるマルチポジション運動調整装置において、ロッドが反時計回りに枢転し、弾性部材により一方向へ弾性回復力を提供する様子を模式的に示す側面図である。
【図１５Ｃ】本考案の第四実施例によるマルチポジション運動調整装置において、ロッドが時計回りに枢転し、弾性部材により別の方向へ弾性回復力を提供する様子を模式的に示す側面図である。
【図１６Ａ】本考案の第四実施例によるマルチポジション運動調整装置において、ロッドがベースに対して初期位置に調整される様子を模式的に示す側面図である。この時、運動抵抗が小さい。
【図１６Ｂ】本考案の第四実施例によるマルチポジション運動調整装置において、ロッドがベースに対して別の初期位置に調整される様子を模式的に示す側面図である。この時、運動抵抗が小さい。
【図１７Ａ】本考案の第五実施例によるマルチポジション運動調整装置において、ロッドが初期位置にある様子を模式的に示す側面図である。
【図１７Ｂ】本考案の第五実施例によるマルチポジション運動調整装置において、ロッドが反時計回りに枢転し、弾性部材により一方向へ弾性回復力を提供する様子を模式的に示す側面図である。
【図１７Ｃ】本考案の第五実施例によるマルチポジション運動調整装置において、ロッドが時計回りに枢転し、弾性部材により別の方向へ弾性回復力を提供する様子を模式的に示す側面図である。
【図１８Ａ】本考案の第五実施例によるマルチポジション運動調整装置において、ロッドがベースに対して初期位置に調整される様子を模式的に示す側面図である。この時、運動抵抗が小さい。
【図１８Ｂ】本考案の第五実施例によるマルチポジション運動調整装置において、ロッドがベースに対して別の初期位置に調整される様子を模式的に示す側面図である。この時、運動抵抗が大きい。
【図１９】本考案の第五実施例によるマルチポジション運動調整装置において、ロッドとスイッチとの接続構造を模式的に示す部分斜視図である。
【図２０Ａ】本考案のロッドがスイッチを一方向へ変位させるように連動する動作を模式的に示す断面図である。
【図２０Ｂ】本考案のロッドがスイッチを別の方向へ変位させるように連動する動作を模式的に示す断面図である。
【考案を実施するための形態】
【００２７】
以下の説明において、図１から２０Ｂを参照して本考案の具体的な実施例を説明する。数多くの実務上の細部を下記の叙述で併せて説明する。しかしながら、これらの実務上の細部は、本考案を制限するためのものではない。即ち、本考案の実施例の一部においては、これらの実務上の細部は、必要としないものである。また、図面を簡略化するために、ある従来技術の構造及び要素は、図面において簡単に模式的に示され、且つ繰り返し登場する要素は同一の符号で示されることがある。
【００２８】
（第一実施例）
図１は本考案の第一実施例によるマルチポジション運動調整装置の外観を示す斜視図である。
図２は本考案の第一実施例によるマルチポジション運動調整装置の内部アセンブリを示す模式図である。
図３は本考案の第一実施例によるマルチポジション運動調整装置において、ギヤスリーブ１１６がスプリングスリーブ１１５から脱離して第２のプレート１２０の第１のプレート１１０に対する初期位置を調整することができる様子を示す模式図である。
【００２９】
図１において、マルチポジション運動調整装置は第１のプレート１１０及び第２のプレート１２０を含む。
第２のプレート１２０が第１のプレート１１０に枢着されて第２のプレート１２０を第１のプレート１１０に対して枢転させることができる。
また、マルチポジション運動調整装置はスイッチ１１１を更に含んでよい。
【００３０】
図２において、マルチポジション運動調整装置は弾性部材１１３、スプリングスリーブ１１５、ギヤスリーブ１１６及び圧縮スプリング１１２を備え、いずれも第１のプレート１１０と第２のプレート１２０との間に配置される。
図２において、弾性部材１１３はねじりバネを使用する。
このため、第２のプレート１２０が第１のプレート１１０に対して枢転する場合、弾性部材１１３をねじるように連動することができて、弾性回復力を提供するようにする。
第２のプレート１２０の第１のプレート１１０に対する初期位置が調整されることができ、これにより弾性回復力を変えてユーザーに異なる運動抵抗を提供する。
【００３１】
図２から分かるように、弾性部材１１３の一端１１３ａは第１のプレート１１０に固設され、弾性部材１１３の他端１１３ｂはスプリングスリーブ１１５に固設される。
スイッチ１１１はギヤスリーブ１１６に設けられる。
スイッチ１１１によりギヤスリーブ１１６とスプリングスリーブ１１５との組み合わせ又は脱離を制御することができる。
【００３２】
更に、図３から分かるように、スイッチ１１１は圧縮スプリング１１２に連動される。
スイッチ１１１は圧縮スプリング１１２を圧縮するように連動する場合、ギヤスリーブ１１６が駆動されてスプリングスリーブ１１５から脱離し、この時、第２のプレート１２０の第１のプレート１１０に対する初期位置を調整することができる。
スイッチ１１１は圧縮スプリング１１２が解放されるように連動する場合、その弾性回復力によりスプリングスリーブ１１５と組み合わせるようにギヤスリーブ１１６を押圧することができる。
この時、第２のプレート１２０の第１のプレート１１０に対する初期位置は固定される。
これにより、第２のプレート１２０の第１のプレート１１０に対する初期位置を調整又は固定することができる。
第２のプレート１２０が第１のプレート１１０に対する初期位置が調整された後に、ユーザーによって使用される場合、第２のプレート１２０又は第１のプレート１１０は弾性部材１１３に異なる程度のねじれ量を付与するため、弾性部材１１３が生成した弾性回復力も異なるねじれ量によって異なる。
ユーザーの付勢は弾性回復力を相殺するためのものであるため、ユーザーは異なる運動抵抗を感じることができ、相対的に異なる運動効果を達成する。
【００３３】
（第二実施例）
図４は本考案の第二実施例によるマルチポジション運動調整装置の外観を示す斜視図である。
図５は本考案の第二実施例によるマルチポジション運動調整装置の内部アセンブリを示す模式図である。
図６は本考案の第二実施例によるマルチポジション運動調整装置において、リールシート１２２が第２のプレート１２０から脱離して第２のプレート１２０の第１のプレート１１０に対する初期位置を調整することができる様子を示す模式図である。
【００３４】
図４のマルチポジション運動調整装置と図１のマルチポジション運動調整装置とは、弾性部材１３１の構造が異なるという違いがある。
図４において、マルチポジション運動調整装置は依然として第１のプレート１１０及び第２のプレート１２０を含む。
且つ、またリールシート１２２及びベルト本体１２１を含む。
【００３５】
本考案の第二実施例において、弾性部材１３１は第１のプレート１１０に配置され、ストレッチスプリングである。
図５において、第１のプレート１１０と第２のプレート１２０との間にリールシート１２２が設けられる。ベルト本体１２１は第１のプレート１１０に設置される。
ベルト本体１２１の一端は弾性部材１３１の一端１３１ａに連結され、弾性部材１３１の他端１３１ｂは第１のプレート１１０に固定される。
ベルト本体１２１の他端はリールシート１２２に連動される。
第２のプレート１２０は第１のプレート１１０に対して枢転する場合、リールシート１２２の回動を駆動して、ベルト本体１２１を巻き取るようにする。
ベルト本体１２１は異なる方向へ巻き取られる時に、弾性部材１３１を駆動して、弾性部材１３１を引っ張り又は圧縮させる。
これにより、弾性部材１３１は異なる方向及び異なる程度の引っ張り量又は圧縮量を有する弾性回復力を提供することができる。
【００３６】
図６から分かるように、リールシート１２２と第２のプレート１２０とは組み合わせ又は脱離することができ、この時、第２のプレート１２０の第１のプレート１１０に対する初期位置を固定又は調整することができる。
更に、リールシート１２２は圧縮スプリング１１２に連動される。リールシート１２２が一側へ押される時に、圧縮スプリング１１２が圧縮され、リールシート１２２が駆動されて第２のプレート１２０から脱離する。
この時、第２のプレート１２０の第１のプレート１１０に対する初期位置を調整することができる。
リールシート１２２が解放される場合、圧縮スプリング１１２が解放され、その弾性回復力により第２のプレート１２０と組み合わせるようにリールシート１２２を押圧する。
この時、第２のプレート１２０の第１のプレート１１０に対する初期位置は固定される。
【００３７】
以下、図５のマルチポジション運動調整装置は如何に両方向の弾性回復力を提供するかを述べる。
図７は本考案の第二実施例によるマルチポジション運動調整装置において、弾性部材１３１は初期位置にある様子を示す模式図である。
図８は本考案の第二実施例によるマルチポジション運動調整装置において、弾性部材１３１が駆動されて両方向の弾性回復力を提供する様子を示す模式図である。
【００３８】
図７において、第２のプレート１２０の第１のプレート１１０に対する初期位置は固定された後、この時、リールシート１２２と第２のプレート１２０とは固定され、弾性部材１３１が初期位置にある。
図８において、第２のプレート１２０は第１のプレート１１０に対して枢転する場合、リールシート１２２の回動を駆動し、この時、ベルト本体１２１（リボン又はスチールケーブル等であってよい）は併せて巻き取られる。
ベルト本体１２１が巻き取られると、弾性部材１３１が引き張られるように駆動し、この時、弾性回復力が発生する。
上記の実施例と同様に、第２のプレート１２０の第１のプレート１１０に対する初期位置は調整された後に、ユーザーによって使用される場合、第２のプレート１２０はベルト本体１２１を巻き取り、ベルト本体１２１が弾性部材１３１に異なる程度の引っ張り量又は圧縮量を付与するため、弾性部材１３１が生成した弾性回復力も異なる引っ張り量又は圧縮量によって異なる。
ユーザーの付勢は弾性回復力を相殺するためのものであるため、ユーザーは異なる運動抵抗を感じることができ、相対的に異なる運動効果を達成する。
【００３９】
（第三実施例）
図９は本考案の第三実施例によるマルチポジション運動調整装置を透視して示す側面図である。
図１０は本考案の第三実施例によるマルチポジション運動調整装置の内部アセンブリを示す模式図である。
【００４０】
図９のマルチポジション運動調整装置は、ロッド２１０及びベース２２０を備える。
ロッド２１０とベース２２０との間にリールシート２１２及びガイドホイール２１３が配置される。
また、ベース２２０内に弾性部材２１５及びベルト本体２１４が配置される。
ロッド２１０はベース２２０に枢着される。
ロッド２１０はベース２２０に対して枢転することができる。
弾性部材２１５はこの実施例においてストレッチスプリングを使用する。
【００４１】
ベルト本体２１４の一端は弾性部材２１５に連結される。
ベルト本体２１４の他端はガイドホイール２１３によりリールシート２１２に連動される。
ロッド２１０はベース２２０に対して枢転する場合、リールシート２１２の回動を駆動する。
この時、ガイドホイール２１３によりベルト本体２１４が異なる方向へ移動することをガイドし、これにより弾性部材２１５が引っ張り又は圧縮されるように駆動する。
これにより、弾性部材２１５は異なる方向及び異なる程度の引っ張り量又は圧縮量を有する弾性回復力を提供することができる。
【００４２】
また、図１０ではロッド連結部材２１１、２つのベース連結部材２１６、ガスケット２２１及びブッシュ２２２を示す。
ロッド連結部材２１１はロッド２１０に固定され、ロッド２１０によって駆動されることができる。
２つのベース連結部材２１６はそれぞれベース２２０の両側に設置され、その内にロッド２１０とベース２２０を枢着するための領域を仕切る。
ガスケット２２１とブッシュ２２２とは互いに合わせ、ロッド連結部材２１１及び２つのベース連結部材２１６の緩衝とされる。
より詳細的に、ロッド２１０及びベース２２０はともに回動軸Ｓに枢着され、ガスケット２２１、ブッシュ２２２、ギヤスリーブ２１８、リールシート２１２及び圧縮スプリング２１７は回動軸Ｓに穿設される。
【００４３】
図１１Ａは本考案の第三実施例によるマルチポジション運動調整装置において、スイッチ２１９を増設してリールシート２１２とギヤスリーブ２１８との脱離を連動しロッド２１０のベース２２０に対する初期位置を調整することができる様子を模式的に示す側面図である。
図１１Ｂは本考案の第三実施例によるマルチポジション運動調整装置において、スイッチ２１９はリールシート２１２とギヤスリーブ２１８との組み合わせを連動してロッド２１０のベース２２０に対する初期位置を固定することができる様子を模式的に示す側面図である。
図１１Ａ及び図１１Ｂにおいて、スイッチ２１９を増設することにより、リールシート２１２とギヤスリーブ２１８との脱離又は組み合わせを連動して、ロッド２１０のベース２２０に対する初期位置を調整又は固定することができることをそれぞれ示す。
更に、図１１Ａにおいて、スイッチ２１９はリールシート２１２を連動し、リールシート２１２は圧縮スプリング２１７に連動される。
スイッチ２１９はリールシート２１２が一側へ押されるように連動する場合、圧縮スプリング２１７が圧縮され、リールシート２１２が駆動されてギヤスリーブ２１８から脱離する。
この時、ロッド２１０のベース２２０に対する初期位置を調整することができる。
図１１Ｂにおいて、スイッチ２１９はリールシート２１２が解放されるように連動する場合、圧縮スプリング２１７が解放され、その弾性回復力によりギヤスリーブ２１８と組み合わせるようにリールシート２１２を押圧する。
この時、ロッド２１０がベース２２０に対する初期位置を固定することができる。
スイッチ２１９の操作方法は、特に制限されず、図１１Ａ及び図１１Ｂに示すような押圧によることであるが、他の回転又は引っ張る操作方法も可能である。
【００４４】
図１２Ａは本考案の第三実施例によるマルチポジション運動調整装置におけるロッド２１０がベース２２０に対して初期位置に調整される様子を模式的に示す側面図である。
この時、運動抵抗が小さくなり、図１２Ｂは本考案の第三実施例によるマルチポジション運動調整装置におけるロッド２１０がベース２２０に対して別の初期位置に調整される様子を模式的に示す側面図であり、この時、運動抵抗が大きい。
図１１Ａ及び図１１Ｂを併せて参照すると、スイッチ２１９の開閉により、ロッド２１０にベース２２０に対してその初期位置を調整させることができる。
ロッド２１０のベース２２０に対する初期位置は調整された後に、ユーザーによって使用される場合、ロッド２１０はリールシート２１２の巻き取りを駆動し、且つガイドホイール２１３によりベルト本体２１４の移動をガイドし、弾性部材２１５に異なる程度の引っ張り量又は圧縮量を付与するため、弾性部材２１５が生成した弾性回復力も異なる引っ張り量又は圧縮量によって異なる。
ユーザーの付勢は弾性回復力を相殺するためのものであるため、ユーザーは異なる運動抵抗を感じることができ、相対的に異なる運動効果を達成する。
図１２Ａにおいて、ロッド２１０のベース２２０に対する初期位置は小さい間隔角度を有するため、弾性部材２１５への引っ張り量又は圧縮量が小さく、したがって、小さい弾性回復力が発生し、ユーザーの感じた運動抵抗は小さい。
逆に、図１２Ｂにおいて、ロッド２１０のベース２２０に対する初期位置は大きい間隔角度を有するため、弾性部材２１５への引っ張り量又は圧縮量が大きく、したがって、大きな弾性回復力が発生し、ユーザーの感じた運動抵抗は大きい。
【００４５】
図１３Ａ〜図１３Ｃを併せて参照されたい。
図１３Ａは本考案の第三実施例によるマルチポジション運動調整装置において、ロッド２１０が初期位置にある様子を模式的に示す側面図である。
図１３Ｂは本考案の第三の実施例によるマルチポジション運動調整装置において、ロッド２１０が反時計回りに枢転して、弾性部材２１５により一方向の弾性回復力を提供する様子を模式的に示す側面図である。
図１３Ｃは本考案の第三実施例によるのマルチポジション運動調整装置において、ロッド２１０が時計回りに枢転して、弾性部材２１５により別の方向の弾性回復力を提供する様子を模式的に示す側面図である。
【００４６】
図１３Ａにおいて、ロッド２１０は初期位置にある。
この時、リールシート２１２はまだベルト本体２１４の移動を駆動しておらず、弾性部材２１５もベルト本体２１４によって駆動されない。
図１３Ｂにおいて、ロッド２１０はベース２２０に対して反時計回りに枢転する。
この時、リールシート２１２もロッド２１０によって駆動されて反時計回りに回動し、ベルト本体２１４がリールシート２１２によって巻き取られ、且つガイドホイール２１３のガイドにより移動し、これにより弾性部材２１５を引っ張って一方向の弾性回復力を提供する。
弾性部材２１５は引っ張られるため、その弾性回復力が引っ張り方向と反対する。
図１３Ｃにおいて、ロッド２１０がベース２２０に対して時計回りに枢転し、この時、リールシート２１２もロッド２１０によって駆動されて時計回りに回動し、ベルト本体２１４はリールシート２１２によって巻き取られ、且つガイドホイール２１３のガイドにより移動し、これにより弾性部材２１５を圧縮して別の方向の弾性回復力を提供する。
弾性部材２１５が圧縮されるため、その弾性回復力は圧縮方向と反対する。
【００４７】
（第四実施例）
図１４は本考案の第四実施例によるマルチポジション運動調整装置を透視して示す側面図である。
図１５Ａは本考案の第四実施例によるマルチポジション運動調整装置において、ロッド２１０が初期位置にある様子を模式的に示す側面図である。
図１５Ｂは本考案の第四実施例によるマルチポジション運動調整装置において、ロッド２１０が反時計回りに枢転し、弾性部材２１５により一方向の弾性回復力を提供する様子を模式的に示す側面図である。
図１５Ｃは本考案の第四実施例によるマルチポジション運動調整装置において、ロッド２１０が時計回りに枢転し、弾性部材２１５により別の方向の弾性回復力を提供する様子を模式的に示す側面図である。
【００４８】
図１４におけるマルチポジション運動調整装置は、その構造が上記の図９のマルチポジション運動調整装置とほぼ同じため、ベース２２０がアーク状を呈してその上にクッション３１１が配置される違いにある。
それと同時に、ベース２２０の一端とスタンド３１２とは組み立てられる。このような配置により、ユーザーが座り姿で運動することができ、体の様々な部位を訓練する効果が提供される。
更に、構造上の違いと組み合わせ、２つのガイドホイール２１３によりベルト本体２１４をその中に挟んでより良いガイド効果を提供する。
【００４９】
図１５Ａにおいて、ロッド２１０は初期位置にある。
この時、リールシート２１２はまだベルト本体２１４の移動を駆動しておらず、弾性部材２１５もベルト本体２１４によって駆動されない。
図１５Ｂにおいて、ロッド２１０はベース２２０に対して反時計回りに枢転する。
この時、リールシート２１２もロッド２１０によって駆動されて反時計回りに回動し、ベルト本体２１４がリールシート２１２によって巻き取られ、且つ２つのガイドホイール２１３のガイドにより移動し、これにより弾性部材２１５を引っ張り、一方向の弾性回復力を提供する。
弾性部材２１５は引っ張られるため、その弾性回復力が引っ張り方向と反対する。
図１５Ｃにおいて、ロッド２１０がベース２２０に対して時計回りに枢転し、この時、リールシート２１２もロッド２１０によって駆動されて時計回りに回動し、ベルト本体２１４はリールシート２１２によって巻き取られ、且つ２つのガイドホイール２１３のガイドにより移動し、これにより弾性部材２１５を圧縮して別の方向の弾性回復力を提供する。
弾性部材２１５が圧縮されるため、その弾性回復力は圧縮方向と反対する。
【００５０】
図１６Ａは本考案の第四実施例によるマルチポジション運動調整装置において、ロッド２１０がベース２２０に対して初期位置に調整される様子を模式的に示す側面図である。この時、運動抵抗が小さい。
図１６Ｂは本考案の第四実施例によるマルチポジション運動調整装置において、ロッド２１０がベース２２０に対して別の初期位置に調整される様子を模式的に示す側面図である。この時、運動抵抗が大きい。
ロッド２１０のベース２２０に対する初期位置は調整された後に、ユーザーによって使用される場合、ロッド２１０はベルト本体２１４を巻き取るようにリールシート２１２を駆動し、且つ２つのガイドホイール２１３によりベルト本体２１４の移動をガイドし、弾性部材２１５に異なる程度の引っ張り量又は圧縮量を付与するため、弾性部材２１５の生成した弾性回復力も異なる引っ張り量又は圧縮量によって異なる。
ユーザーの付勢は弾性回復力を相殺するためのものであるため、ユーザーは異なる運動抵抗を感じることができ、相対的に異なる運動効果を達成する。
図１６Ａにおいて、ロッド２１０のベース２２０に対する初期位置は小さい間隔角度を有するため、弾性部材２１５への引っ張り量又は圧縮量が小さく、したがって、小さい弾性回復力が発生し、ユーザーの感じた運動抵抗は小さい。
逆に、図１６Ｂにおいて、ロッド２１０のベース２２０に対する初期位置は大きい間隔角度を有するため、弾性部材２１５への引っ張り量又は圧縮量が大きく、したがって大きな弾性回復力が発生し、ユーザーの感じた運動抵抗は大きい。
【００５１】
（第五実施例）
図１７Ａ、図１７Ｂ及び図１７Ｃを併せて参照されたい。
図１７Ａは、本考案の第五実施例によるマルチポジション運動調整装置において、ロッド２１０が初期位置にある様子を模式的に示す側面図である。
図１７Ｂは、本考案の第五実施例によるマルチポジション運動調整装置において、ロッド２１０が反時計回りに枢転し、弾性部材２１５により一方向の弾性回復力を提供する様子を模式的に示す側面図である。
図１７Ｃは、本考案の第五実施例によるマルチポジション運動調整装置において、ロッド２１０が時計回りに枢転し、弾性部材２１５により別の方向の弾性回復力を提供する様子を模式的に示す側面図である。
この実施例において、マルチポジション運動調整装置は、クランク３１３、容置装置３１４、ベルト本体２１４及少なくとも１つのガイドホイール２１３を含む。
容置装置３１４がベース２２０に設けられる。
クランク３１３の一端がロッド２１０の一端に枢着される。
クランク３１３の他端がベルト本体２１４の一端に接続される。
ベルト本体２１４の他端が弾性部材２１５に接続される。
弾性部材２１５が容置装置３１４内に設けられる。
ベルト本体２１４がガイドホイール２１３によりクランク３１３に連動される。
ロッド２１０がベース２２０に対して枢転する場合、クランク３１３を連動して、ガイドホイール２１３によりベルト本体２１４の移動をガイドして弾性部材２１５の引っ張り又は圧縮を連動する。
図１７Ａにおいて、ロッド２１０が初期位置にあり、この初期位置が調整可能である。
図１７Ｂにおいて、ロッド２１０が反時計回りに枢転し、クランク３１３を連動して、これによりガイドホイール２１３のガイドにより、弾性部材２１５を引っ張って、このためユーザーは弾性回復力を感じることができる。
図１７Ｃにおいて、ロッド２１０が時計回りに枢転し、クランク３１３を連動して、これによりガイドホイール２１３のガイドにより、弾性部材２１５を引っ張って、このためユーザーは弾性回復力も感じることができる。
同時に、ベース２２０にスイッチ３１５が設けられてよい。
ロッド２１０がスイッチ３１５を連動してその初期位置を調整することができる。
【００５２】
図１８Ａ及び図１８Ｂを参照されたい。
図１８Ａは、本考案の第五実施例によるマルチポジション運動調整装置において、ロッド２１０がベース２２０に対して初期位置に調整される様子を模式的に示す側面図である。この時、運動抵抗が小さい。
図１８Ｂは、本考案の第五実施例によるマルチポジション運動調整装置において、ロッド２１０がベース２２０に対して別の初期位置に調整される様子を模式的に示す側面図である。この時、運動抵抗が大きい。
ロッド２１０がベース２２０に対する初期位置がスイッチ３１５により調整された後に、ロッド２１０がベース２２０に対して枢転する場合、クランク３１３を連動して、ガイドホイール２１３によりベルト本体２１４の移動をガイドして弾性部材２１５の引っ張り又は圧縮を連動して、弾性部材２１５に異なる程度の引っ張り量又は圧縮量を付与するため、弾性部材２１５が生成した弾性回復力も異なる引っ張り量又は圧縮量によって異なる。
ユーザーの付勢は弾性回復力を相殺するためのものであるため、ユーザーは異なる運動抵抗を感じることができ、相対的に異なる運動効果を達成する。
図１８Ａにおいて、ロッド２１０のベース２２０に対する初期位置は小さい間隔角度を有するため、弾性部材２１５への引っ張り量又は圧縮量が小さく、したがって、小さい弾性回復力が発生し、ユーザーの感じた運動抵抗は小さい。
逆に、図１８Ｂにおいて、ロッド２１０のベース２２０に対する初期位置は大きい間隔角度を有するため、弾性部材２１５への引っ張り量又は圧縮量が大きく、したがって、大きな弾性回復力が発生し、ユーザーの感じた運動抵抗は大きい。
【００５３】
図１９を参照されたい。
図１９は、本考案の第五実施例によるマルチポジション運動調整装置において、ロッド２１０とスイッチ３１５との接続構造を模式的に示す部分斜視図である。
マルチポジション運動調整装置のベース２２０にスイッチベース３１６が設けられ、スイッチ３１５がスイッチベース３１６内で変位でき、ロッド２１０の一端がスイッチ３１５に接続される。
スイッチ３１５が前記スイッチベース内に固定され又は引かれて脱離して自由に回動できるようにする。
スイッチ３１５が自由に回動できる場合、ロッド２１０がスイッチ３１５によりその初期位置を調整することができる。
スイッチ３１５が固定される場合、ロッド２１０の初期位置が固定される。
【００５４】
図２０Ａ及び図２０Ｂを参照されたい。
図２０Ａは、本考案のロッド２１０がスイッチ３１５を一方向へ変位させるように連動する動作を模式的に示す断面図であり、
図２０Ｂは、本考案のロッド２１０がスイッチ３１５を別の方向へ変位させるように連動する動作を模式的に示す断面図である。
図２０Ａにおいて、スイッチ３１５が圧縮スプリング３１７を連動する。
ロッド２１０はスイッチ３１５をスイッチベース３１６内で一方向（この実施例においてスイッチベース３１６内へ）へ変位させるように推し進める場合、圧縮スプリング３１７の弾性回復力により抵抗が提供され、スイッチ３１５が相対的にスイッチベース３１６内に固定されてよく、これによりロッド２１０の初期位置が固定されることができる。
図２０Ｂにおいて、ロッド２１０がスイッチ３１５をスイッチベース３１６内で別の方向（この実施例においてスイッチベース３１６外へ）へ変位させるように引く場合、スイッチ３１５が引かれて脱離して自由に回動できるようにされ、この時、ロッド２１０の初期位置が調整されることができ、圧縮スプリング３１７が圧縮されて弾性回復力を発生することができる。
【００５５】
本考案を、上記の実施形態によって前述の通りに開示したが、これは、本考案を限定するものではなく、当業者なら誰でも、本考案の精神と範囲から逸脱しない限り、多様の変更や修正を加えることができる。したがって、本考案の保護範囲は、特許請求の範囲で指定した内容を基準とする。
【符号の説明】
【００５６】
１１０  第１のプレート
１１１  スイッチ
１１２  圧縮スプリング
１１３  弾性部材
１１３ａ  端
１１３ｂ  端
１１５  スプリングスリーブ
１１６  ギヤスリーブ
１２０  第２のプレート
１２１  ベルト本体
１２２  リールシート
１３１  弾性部材
１３１ａ  端
１３１ｂ  端
２１０  ロッド
２１１  ロッド連結部材
２１２  リールシート
２１３  ガイドホイール
２１４  ベルト本体
２１５  弾性部材
２１６  ベース連結部材
２１７  圧縮スプリング
２１８  ギヤスリーブ
２１９  スイッチ
２２０  ベース
２２１  ガスケット
２２２  ブッシュ
３１１  クッション
３１２  スタンド
３１３  クランク
３１４  容置装置
３１５  スイッチ
３１６  スイッチベース
３１７  圧縮スプリング
Ｓ  回動軸
【図１】
0003225097.tif 000003
【図２】
0003225097.tif 000004
【図３】
0003225097.tif 000005
【図４】
0003225097.tif 000006
【図５】
0003225097.tif 000007
【図６】
0003225097.tif 000008
【図７】
0003225097.tif 000009
【図８】
0003225097.tif 000010
【図９】
0003225097.tif 000011
【図１０】
0003225097.tif 000012
【図１１Ａ】
0003225097.tif 000013
【図１１Ｂ】
0003225097.tif 000014
【図１２Ａ】
0003225097.tif 000015
【図１２Ｂ】
0003225097.tif 000016
【図１３Ａ】
0003225097.tif 000017
【図１３Ｂ】
0003225097.tif 000018
【図１３Ｃ】
0003225097.tif 000019
【図１４】
0003225097.tif 000020
【図１５Ａ】
0003225097.tif 000021
【図１５Ｂ】
0003225097.tif 000022
【図１５Ｃ】
0003225097.tif 000023
【図１６Ａ】
0003225097.tif 000024
【図１６Ｂ】
0003225097.tif 000025
【図１７Ａ】
0003225097.tif 000026
【図１７Ｂ】
0003225097.tif 000027
【図１７Ｃ】
0003225097.tif 000028
【図１８Ａ】
0003225097.tif 000029
【図１８Ｂ】
0003225097.tif 000030
【図１９】
0003225097.tif 000031
【図２０Ａ】
0003225097.tif 000032
【図２０Ｂ】
0003225097.tif 000033
【手続補正書】
【提出日】令和1年8月21日(2019.8.21)
【手続補正１】
【補正対象書類名】実用新案登録請求の範囲
【補正対象項目名】請求項１
【補正方法】変更
【補正の内容】
【請求項１】
第１のプレートと、
前記第１のプレートに枢着される第２のプレートと、
前記第１のプレートと前記第２のプレートとの間に配置され、前記第２のプレートが前記第１のプレートに対して枢転する場合、ねじるように連動されて弾性回復力を提供する弾性部材と、
を備えるマルチポジション運動調整装置。
【手続補正２】
【補正対象書類名】実用新案登録請求の範囲
【補正対象項目名】請求項６
【補正方法】変更
【補正の内容】
【請求項６】
第１のプレートと、
前記第１のプレートに枢着される第２のプレートと、
前記第１のプレートに配置され、前記第２のプレートが前記第１のプレートに対して枢転する場合、引っ張られ又は圧縮されるように連動されて、弾性回復力を提供する弾性部材と、
を備えるマルチポジション運動調整装置。
【手続補正３】
【補正対象書類名】実用新案登録請求の範囲
【補正対象項目名】請求項１０
【補正方法】変更
【補正の内容】
【請求項１０】
ロッドと、
前記ロッドが枢着されたベースと、
前記ベース内に配置され、前記ロッドが前記ベースに対して枢転する場合、引っ張られ又は圧縮されるように連動されて、弾性回復力を提供する弾性部材と、
を備えるマルチポジション運動調整装置。
【手続補正書】
【提出日】令和1年12月4日(2019.12.4)
【手続補正１】
【補正対象書類名】実用新案登録請求の範囲
【補正対象項目名】全文
【補正方法】変更
【補正の内容】
【実用新案登録請求の範囲】
【請求項１】
第１のプレートと、
前記第１のプレートに枢着される第２のプレートと、
前記第１のプレートと前記第２のプレートとの間に配置されるねじりバネである弾性部材と、
を備えるマルチポジション運動調整装置。
【請求項２】
スプリングスリーブ及びギヤスリーブを更に備え、
前記弾性部材の一端は前記第１のプレートに固設され、
前記弾性部材の他端は前記スプリングスリーブに固設され、
前記ギヤスリーブと前記スプリングスリーブとは分離可能に連結される請求項１に記載のマルチポジション運動調整装置。
【請求項３】
前記ギヤスリーブに設置されるスイッチを更に備える請求項２に記載のマルチポジション運動調整装置。
【請求項４】
圧縮スプリングを更に備え、
前記スイッチと前記圧縮スプリングとは連動され、
前記スイッチは、前記圧縮スプリングを圧縮するように前記圧縮スプリングと連動する場合、前記ギヤスリーブが駆動されて前記スプリングスリーブから脱離し、前記第２のプレートの前記第１のプレートに対する前記初期位置を調整することができ、
前記スイッチは、前記圧縮スプリングが解放されるように前記圧縮スプリングと連動する場合、前記圧縮スプリングが弾性回復力により前記スプリングスリーブと組み合わせるように前記ギヤスリーブを押圧し、前記第２のプレートの前記第１のプレートに対する前記初期位置を固定することができる請求項３に記載のマルチポジション運動調整装置。
【請求項５】
第１のプレートと、
前記第１のプレートに枢着される第２のプレートと、
前記第１のプレートに配置される引張りばねである弾性部材と、
を備えるマルチポジション運動調整装置。
【請求項６】
リールシート及びベルト本体を更に備え、
前記リールシートが前記第１のプレートと前記第２のプレートとの間に設置され、
前記ベルト本体が前記第１のプレートに設置され、前記ベルト本体の一端は前記弾性部材に連結され、前記ベルト本体の他端は前記リールシートに連動され、
前記第２のプレートが前記第１のプレートに対して枢転する場合、前記リールシートを回動させ、且つ前記ベルト本体が前記弾性部材を引張り又は圧縮するように連動する請求項５に記載のマルチポジション運動調整装置。
【請求項７】
前記リールシートと前記第２のプレートとは分離可能に連結される請求項６に記載のマルチポジション運動調整装置。
【請求項８】
圧縮スプリングを更に備え、
前記リールシートと前記圧縮スプリングとは連動され、
前記リールシートは、前記圧縮スプリングを圧縮するように前記圧縮スプリングと連動する場合、前記リールシートが駆動されて前記第２のプレートから脱離し、前記第２のプレートの前記第１のプレートに対する前記初期位置を調整することができ、
前記リールシートは、前記圧縮スプリングが解放されるように前記圧縮スプリングと連動する場合、前記圧縮スプリングの弾性回復力により前記第２のプレートと組み合わせるように前記リールシートを押圧し、前記第２のプレートの前記第１のプレートに対する前記初期位置を固定することができる請求項７に記載のマルチポジション運動調整装置。
【請求項９】
ロッドと、
前記ロッドが枢着されたベースと、
前記ベース内に配置された引張りばねである弾性部材と、
を備えるマルチポジション運動調整装置。
【請求項１０】
リールシート、ベルト本体、及び少なくとも１つのガイドホイールを更に備え、
前記リールシートが前記ロッドと前記ベースとの間に設置され、
前記ベルト本体が前記ベース内に設置され、前記ベルト本体の一端は前記弾性部材に連結され、前記ベルト本体の他端は前記ガイドホイールにより前記リールシートに連動され、
前記ロッドが前記ベースに対して枢転する場合、前記リールシートを回動させ、前記ガイドホイールにより前記ベルト本体の移動をガイドし、前記弾性部材は引っ張られ又は圧縮されるように駆動される請求項９に記載のマルチポジション運動調整装置。
【請求項１１】
前記ロッドと前記ベースとの間に設置されるギヤスリーブを更に備え、
前記リールシートと前記ギヤスリーブとは分離可能に連結される請求項１０に記載のマルチポジション運動調整装置。
【請求項１２】
前記リールシートを連動するスイッチを更に備える請求項１１に記載のマルチポジション運動調整装置。
【請求項１３】
圧縮スプリングを更に備え、
前記リールシートと前記圧縮スプリングとは連動され、
前記スイッチは、前記圧縮スプリングを圧縮するように前記リールシートが前記圧縮スプリングと連動する場合、前記リールシートが駆動されて前記ギヤスリーブから脱離し、前記ロッドの前記ベースに対する前記初期位置を調整することができ、
前記スイッチは、前記圧縮スプリングを解放するように前記リールシートが前記圧縮スプリングと連動する場合、前記圧縮スプリングの弾性回復力により、前記ギヤスリーブと組み合わせるように前記リールシートを押圧し、前記ロッドの前記ベースに対する前記初期位置を固定することができる請求項１２に記載のマルチポジション運動調整装置。
【請求項１４】
回動軸、ガスケット及びブッシュを更に備え、
前記ロッドと前記ベースとはともに前記回動軸に枢着され、
前記ガスケット、前記ブッシュ、前記ギヤスリーブ、前記リールシート及び前記圧縮スプリングは前記回動軸に穿設される請求項１３に記載のマルチポジション運動調整装置。
【請求項１５】
前記ガイドホイールの数は２つ以上である請求項１０に記載のマルチポジション運動調整装置。
【請求項１６】
クランク、容置装置、ベルト本体、及び少なくとも１つのガイドホイールを更に含み、
前記容置装置が前記ベースに設けられ、
前記クランクの一端が前記ロッドの一端に枢着され、前記クランクの他端が前記ベルト本体の一端に接続され、前記ベルト本体の他端が前記弾性部材に接続され、前記弾性部材が前記容置装置内に設けられ、前記ベルト本体が前記ガイドホイールにより前記クランクに連動され、
前記ロッドが前記ベースに対して枢転する場合、前記ロッドが前記クランクを連動し、前記クランクが、前記ガイドホイールにより前記ベルト本体の移動をガイドし、前記弾性部材が引っ張られ又は圧縮されるように連動される請求項９に記載のマルチポジション運動調整装置。
【請求項１７】
スイッチ、スイッチベース及び圧縮スプリングを更に含み、
前記スイッチベースが前記ベースに設けられ、前記スイッチが前記ロッドによって連動されて前記スイッチベース内で変位し、
前記スイッチを前記圧縮スプリングが連動して、
前記ロッドが前記スイッチを前記スイッチベース内で一方向へ変位させるように推して進める場合、前記圧縮スプリングの弾性回復力により抵抗が提供され、前記スイッチが相対的に前記スイッチベース内に固定され、これにより前記ロッドの前記初期位置が固定され、
前記ロッドが前記スイッチを前記スイッチベース内で別の方向へ変位させるように引く場合、前記スイッチが引かれて脱離して自由に回動できるようにされ、これにより前記ロッドの前記初期位置が調整される請求項９に記載のマルチポジション運動調整装置。
【手続補正２】
【補正対象書類名】明細書
【補正対象項目名】０００６
【補正方法】変更
【補正の内容】
【０００６】
本考案の第一の目的は、運動抵抗を簡単に調整することができるマルチポジション運動調整装置を提供することにある。ねじりバネ又は引張りばねである弾性部材を設置することにより、異なる方向のねじり、引っ張り又は圧縮を発生させ、異なる弾性回復力を形成するようにする。
更に、本考案の第二の目的として、第１のプレート、第２のプレート又はロッド、ベースの初期位置を調整することにより、ねじりバネ又は引張りばねである弾性部材の異なる弾性回復力によりユーザーに異なる運動抵抗を感じさせることができ、異なる運動効果を達成できるようにする。
【手続補正３】
【補正対象書類名】明細書
【補正対象項目名】０００７
【補正方法】変更
【補正の内容】
【０００７】
（一実施形態）
一実施形態において、本考案は、第１のプレートと、第１のプレートに枢着される第２のプレートと、第１のプレートと第２のプレートとの間に配置されるねじりバネである弾性部材と、を備えるマルチポジション運動調整装置を提供する。
第２のプレートは第１のプレートに対して枢転する場合、弾性部材をねじるように連動して弾性回復力を提供する。
弾性回復力を変えるように、第２のプレートの第１のプレートに対する初期位置を調整することができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
（別の実施形態）
別の実施形態において、本考案は、
第１のプレートと、
第１のプレートに枢着される第２のプレートと、
第１のプレートに配置され、第２のプレートが第１のプレートに対して枢転する場合、引っ張られ又は圧縮されるように連動されて、弾性回復力を提供する引張りばねである弾性部材と、を備えるマルチポジション運動調整装置を提供する。
弾性回復力を変えるように、第２のプレートの第１のプレートに対する初期位置を調整することができる。
【手続補正６】
【補正対象書類名】明細書
【補正対象項目名】００２３
【補正方法】削除
【補正の内容】
【手続補正７】
【補正対象書類名】明細書
【補正対象項目名】００３５
【補正方法】変更
【補正の内容】
【００３５】
本考案の第二実施例において、弾性部材１３１は第１のプレート１１０に配置される引張りばねである。
図５において、第１のプレート１１０と第２のプレート１２０との間にリールシート１２２が設けられる。ベルト本体１２１は第１のプレート１１０に設置される。
ベルト本体１２１の一端は弾性部材１３１の一端１３１ａに連結され、弾性部材１３１の他端１３１ｂは第１のプレート１１０に固定される。
ベルト本体１２１の他端はリールシート１２２に連動される。
第２のプレート１２０は第１のプレート１１０に対して枢転する場合、リールシート１２２の回動を駆動して、ベルト本体１２１を巻き取るようにする。
ベルト本体１２１は異なる方向へ巻き取られる時に、弾性部材１３１を駆動して、弾性部材１３１を引っ張り又は圧縮させる。
これにより、弾性部材１３１は異なる方向及び異なる程度の引っ張り量又は圧縮量を有する弾性回復力を提供することができる。
【手続補正８】
【補正対象書類名】明細書
【補正対象項目名】００４０
【補正方法】変更
【補正の内容】
【００４０】
図９のマルチポジション運動調整装置は、ロッド２１０及びベース２２０を備える。
ロッド２１０とベース２２０との間にリールシート２１２及びガイドホイール２１３が配置される。
また、ベース２２０内に弾性部材２１５及びベルト本体２１４が配置される。
ロッド２１０はベース２２０に枢着される。
ロッド２１０はベース２２０に対して枢転することができる。
弾性部材２１５はこの実施例において引張りばねを使用する。